(57)【要約】【課題】  歩行判定機能を有する歩数計において、歩行開始時により早く歩数表示を行うと共に、表示内容を容易に把握できるようにすること。【解決手段】  第１歩行判定モードでは、歩数を検出しても表示部１０６の歩数表示は更新しない。第１歩行判定モードにおいて暫定的に歩行中と判定できた場合には、第２歩行判定モードにおいて更に歩行判定を行う。第２歩行判定モードにおいて歩行を検出した場合、表示部１０６の累積歩数表示を更新すると共に歩行判定モードであることを表すために点滅表示を行う。第２歩行判定モードにおいても歩行中と判定できた場合には、歩数測定モードに移行して通常の歩数測定を行い、歩数測定モードであることを表すために、歩行判定モードとは表示態様が異なる点灯表示によって累積歩数を表示する。【選択図】  図９
2008047030.tif 000002
【特許請求の範囲】
【請求項１】
歩行を検出して対応する歩行信号を出力する歩行検出手段と、前記歩行信号に基づいて歩行判定を行う複数の歩行判定モード及び前記各歩行判定モードにおいて歩行中と判定した後に歩数測定を行う歩数測定モードのいずれかにモードを切り換えるモード切り換え手段と、前記各歩行判定モードにおいて歩行中か否かを判定する歩行判定手段と、前記各モードにおいて前記歩行信号に基づいて歩数を算出する歩数算出手段と、前記歩数算出手段が算出した累積歩数を表示する表示手段とを備えて成り、
前記表示手段は、前記複数の歩行判定モードの中の少なくとも１つの歩行判定モード及び前記歩数測定モードにおいて、前記歩数算出手段が算出した累積歩数を相互に異なる態様で表示することを特徴とする歩数計。
【請求項２】
前記各モードは段階的に構成されて成り、
前記モード切り換え手段は、前記歩行判定手段が前段の歩行判定モードにおいて歩行中と判定した場合に次段の歩行判定モードに切り換え、前記歩行判定手段が最終段の歩行判定モードにおいて歩行中と判定した場合に前記歩数測定モードに切り換えることを特徴とする請求項１記載の歩数計。
【請求項３】
前記表示手段は、少なくとも前記最終段の歩行判定モード及び前記歩数測定モードにおいて、前記歩数算出手段が算出した累積歩数を相互に異なる態様で表示することを特徴とする請求項２記載の歩数計。
【請求項４】
前記複数の歩行判定モードは、歩行判定を行う第１歩行判定モードと、前記第１歩行判定モードにおいて歩行中と判定した場合に続けて歩行判定を行う第２歩行判定モードから成り、
前記表示手段は、前記第２歩行判定モードと歩数測定モードにおいて、前記歩数算出手段が算出した累積歩数を相互に異なる態様で表示することを特徴とする請求項１乃至３のいずれか一に記載の歩数計。
【請求項５】
前記表示手段は、前記歩行判定モードにおいて累積歩数を表示する場合は点滅表示し、前記歩数測定モードにおいて累積歩数を表示する場合は点灯表示することを特徴とする請求項１乃至４のいずれか一に記載の歩数計。
【請求項６】
前記表示手段は、前記複数の歩行判定モードの中の少なくとも初段の歩行判定モードにおいては、累積歩数の表示更新を行わないことを特徴とする請求項１乃至５のいずれか一に記載の歩数計。
【請求項７】
前記歩行判定モードにおいて前記歩数算出手段が算出した歩数を記憶する歩数バッファメモリと、前記歩数算出手段が算出した累積歩数を記憶する歩数メモリと、前記歩数バッファメモリ及び歩数メモリを制御する制御手段とを有し、
前記制御手段は、前記各歩行判定モードにおいて前記歩数算出手段が算出した歩数を前記歩数バッファメモリに記憶すると共に前記歩数測定モードにおいて算出した累積歩数を前記歩数メモリに記憶し、前記いずれかの歩行判定モードにおいて歩行停止と判定した場合、前記歩数メモリに記憶した歩数から前記歩数バッファメモリに記憶した歩数を差し引いた歩数を改めて前記歩数メモリに記憶し、
前記表示手段は、前記歩数メモリに記憶した歩数を前記各モードに応じた異なる態様で表示することを特徴とする請求項１乃至６のいずれか一に記載の歩数計。
【発明の詳細な説明】
【技術分野】
【０００１】
本発明は、人体の歩行を検出して歩数測定を行う歩数計に関する。
【背景技術】
【０００２】
従来より、歩行を検出する歩行検出部を有し、歩行検出部からの信号が「ノイズまたは歩行以外の動作による信号」か「歩行による信号」を判別するための歩行判定部を有する歩数計が提案されている（特許文献１参照）。
この歩行判定部を有する歩数計は、一定期間あるいは一定歩数の歩行判定を行った後、歩行と判断された場合に判定中にカウントされた歩数が加算され表示される方式であるため、歩行初期の表示がなかなか表示されないという問題がある。
【０００３】
この間題点を改善するものとして、通常の歩行測定中に測定した歩数を表示するメイン表示部と、歩行判定中に測定した歩数を表示するプリカウント部を備え、歩行判定中はプリカウント部が歩数カウント表示を行い、歩行していると判定されると、メイン表示部に歩数表示を引き継ぐように構成された歩数計が提案されている（特許文献２参照）。
しかし、この方式では、歩数を表示する箇所が、メイン表示部とプリカウント表示部の複数となってしまい、ユーザは混乱して、各表示部の表示内容が何を意味しているのか判断できなくなる恐れがあるという問題がある。また、複数の表示部を必要とするため、小型化が困難という問題がある。
【０００４】
【特許文献１】特開昭６３−２６２７８４号公報（第２頁右上欄〜第５頁右欄、図４〜図９）
【特許文献２】特開平４−１９２０９５号公報（第２頁左下欄〜第３頁左下欄、図１〜図４）
【発明の開示】
【発明が解決しようとする課題】
【０００５】
本発明は、歩行判定機能を有する歩数計において、歩行開始時により早く歩数表示を行うと共に、表示内容を容易に把握できるようにすることを課題としている。
【課題を解決するための手段】
【０００６】
本発明によれば、歩行を検出して対応する歩行信号を出力する歩行検出手段と、前記歩行信号に基づいて歩行判定を行う複数の歩行判定モード及び前記各歩行判定モードにおいて歩行中と判定した後に歩数測定を行う歩数測定モードのいずれかにモードを切り換えるモード切り換え手段と、前記各歩行判定モードにおいて歩行中か否かを判定する歩行判定手段と、前記各モードにおいて前記歩行信号に基づいて歩数を算出する歩数算出手段と、前記歩数算出手段が算出した累積歩数を表示する表示手段とを備えて成り、前記表示手段は、前記複数の歩行判定モードの中の少なくとも１つの歩行判定モード及び前記歩数測定モードにおいて、前記歩数算出手段が算出した累積歩数を相互に異なる態様で表示することを特徴とする歩数計が提供される。
【０００７】
歩行検出手段は、歩行を検出して対応する歩行信号を出力する、モード切り換え手段は、前記歩行信号に基づいて歩行判定を行う複数の歩行判定モード及び前記各歩行判定モードにおいて歩行中と判定した後に歩数測定を行う歩数測定モードのいずれかにモードを切り換える。歩行判定手段は、前記各歩行判定モードにおいて歩行中か否かを判定する。歩数算出手段は、前記各モードにおいて前記歩行信号に基づいて歩数を算出する。表示手段は、前記複数の歩行判定モードの中の少なくとも１つの歩行判定モード及び前記歩数測定モードにおいて、前記歩数算出手段が算出した累積歩数を相互に異なる態様で表示する。
【０００８】
ここで、前記各モードは段階的に構成されて成り、前記モード切り換え手段は、前記歩行判定手段が前段の歩行判定モードにおいて歩行中と判定した場合に次段の歩行判定モードに切り換え、前記歩行判定手段が最終段の歩行判定モードにおいて歩行中と判定した場合に前記歩数測定モードに切り換えるように構成してもよい。
また、前記表示手段は、少なくとも前記最終段の歩行判定モード及び前記歩数測定モードにおいて、前記歩数算出手段が算出した累積歩数を相互に異なる態様で表示するように構成してもよい。
【０００９】
また、前記複数の歩行判定モードは、歩行判定を行う第１歩行判定モードと、前記第１歩行判定モードにおいて歩行中と判定した場合に続けて歩行判定を行う第２歩行判定モードから成り、前記表示手段は、前記第２歩行判定モードと歩数測定モードにおいて、前記歩数算出手段が算出した累積歩数を相互に異なる態様で表示するように構成してもよい。
また、前記表示手段は、前記歩行判定モードにおいて累積歩数を表示する場合は点滅表示し、前記歩数測定モードにおいて累積歩数を表示する場合は点灯表示するように構成してもよい。
【００１０】
また、前記表示手段は、前記複数の歩行判定モードの中の少なくとも初段の歩行判定モードにおいては、累積歩数の表示更新を行わないように構成してもよい。
また、前記歩行判定モードにおいて前記歩数算出手段が算出した歩数を記憶する歩数バッファメモリと、前記歩数算出手段が算出した累積歩数を記憶する歩数メモリと、前記歩数バッファメモリ及び歩数メモリを制御する制御手段とを有し、前記制御手段は、前記各歩行判定モードにおいて前記歩数算出手段が算出した歩数を前記歩数バッファメモリに記憶すると共に前記歩数測定モードにおいて算出した累積歩数を前記歩数メモリに記憶し、前記いずれかの歩行判定モードにおいて歩行停止と判定した場合、前記歩数メモリに記憶した歩数から前記歩数バッファメモリに記憶した歩数を差し引いた歩数を改めて前記歩数メモリに記憶し、前記表示手段は、前記歩数メモリに記憶した歩数を前記各モードに応じた異なる態様で表示するように構成してもよい。
【発明の効果】
【００１１】
本発明によれば、歩行判定を行う歩数計において、歩行開始時により早く歩数表示を行うと共に、表示内容を容易に把握することが可能になる。
【発明を実施するための最良の形態】
【００１２】
図１は、本発明の実施の形態に係る歩数計のブロック図である。
図１において、歩数計は、被測定者の歩行を検出する毎に対応する歩行信号を出力するセンサ（例えば加速度センサ）１０１、センサ１０１からの歩行信号を増幅して出力する増幅回路１０２、増幅回路１０２からの信号のうち体動等によって生じるノイズを除去して前記歩行信号を通過させるフィルタ１０３、プログラム等を予め記憶した読み出し専用メモリ（ＲＯＭ）１０４、測定した歩数データ等を記憶するランダムアクセスメモリ１０５、測定した歩数等を表示する表示部１０６、中央処理装置（ＣＰＵ）によって構成され、ＲＯＭ１０４に記憶されたプログラムを実行することによって前記各構成要素の制御や後述する処理を行う制御部１０７を備えている。ＲＡＭ１０５には、歩行判定モードにおいて算出した歩数データを一時的に記憶する歩数バッファメモリ１０８が設けられている。
【００１３】
ここで、センサ１０１、増幅回路１０２及びフィルタ１０３は歩行を検出して対応する歩行信号を出力する歩行検出手段を構成し、表示部１０６は表示手段を構成し、ＲＡＭ１０５は歩数メモリを構成し、又、ＲＯＭ１０４及びＲＡＭ１０５は記憶手段を構成している。また、制御部１０７は、モードを切り換えるモード切り換え手段、歩行信号に基づいて歩行中か否かを判定する歩行判定手段、歩行信号に基づいて歩数を算出する歩数算出手段及びメモリ（ＲＯＭ１０４、ＲＡＭ１０５）を制御する制御手段を構成している。
尚、本実施の形態に係る歩数計は、被測定者の腕に装着して使用する腕時計型の歩数計、被測定者の腰に装着して使用する歩数計、あるいは、バッグ等に収納した状態で被測定者が保持して使用する歩数計等のいずれの方式の歩数計でもよい。
【００１４】
図２〜図５は、本実施の形態に係る歩数計の処理を示すフローチャートであり、主として、ＲＯＭ１０４に記憶したプログラムを制御部１０７が実行することによって行われる処理を示している。
図６〜図８は、本実施の形態に係る歩数計の動作説明図で、歩行開始による歩行信号を検出し、複数の歩行判定モードによって歩行判定を行う際に、歩行判定結果に応じて動作が相違することを示している。
【００１５】
図６は、１段目の第１歩行判定モードに入って歩行判定を行い、第１歩行判定モードにおいて暫定的に歩行中と判定した後に２段目の第２歩行判定モードに入って更に歩行判定を行い、第２歩行判定モードにおいて正式に歩行中と判定した後に、通常の歩数測定モードに入って歩数測定を行った場合の例である。
図７は、１段目の第１歩行判定モードに入って歩行判定を行った結果、歩行信号が所定周期で生じていない（歩行信号に抜けが生じている）ため歩行と判定せず、再び行った２回目の第１歩行判定モードにおいて暫定的に歩行中と判定し、２段目の第２歩行判定モードにおいて正式に歩行中と判定した後に、通常の歩数測定モードに入って歩数測定を行った場合の例である。
【００１６】
図８は、最初の第１歩行判定モードでは歩行中と判定したが、歩行信号が所定間隔で生じていないため、最初の第２歩行判定モードでは歩行と判定せず、その後に再度行った２回目の第１歩行判定モード及び第２歩行判定モードで歩行中と判定し、通常の歩数測定モードに入って歩数測定を行った場合の例である。
【００１７】
図９及び図１０は、本実施の形態に係る歩数計の表示を示す図であり、図９は図６の動作に対応する表示例、図１０は最終的に歩行していないと判定した場合の表示例である。
図９において、第１歩行判定モードでは歩数を測定中ではあるが表示部１０６に表示している歩数は更新せず（この間、第１歩行判定モード開始時の歩数である「４３２４歩」を継続表示）、第１歩行判定モードにおいて暫定的に歩行中と判定した場合に第２歩行判定モードに入って、現在の累積歩数を第１の表示態様（本実施の形態では点滅）によって表示し（第１歩行判定モード期間中において測定した歩数「６歩」を第１歩行判定モード開始時の「４３２４歩」に加算した「４３３０歩」を表示後、歩行を検出する毎に加算して累積歩数を更新表示する（「４３３０歩」〜「４３３３歩」まで表示）、第２歩行判定モードにおいて正式に歩行中と判定した後に、通常の歩数測定モードに入って歩行を検出する毎に歩数を加算して累積歩数を算出し、歩数表示は歩行判定モードとは異なる第２の表示態様（本実施の形態では点灯）によって表示（「４３３４歩」〜「４３３６歩」まで表示）した場合の例である。
【００１８】
一方、図１０において、第１歩行判定モードでは歩数を測定中ではあるが表示している歩数は変更せず（この間、第１歩行判定モード開始時の歩数である「４３２４歩」を継続表示）、第１歩行判定モードにおいて暫定的に歩行中と判定した場合に第２歩行判定モードに入って、現在の累積歩数（「４３３０歩」〜「４３３３歩」）を点滅表示し、第２歩行判定モードにおいて歩行停止中と判定したため、第１歩行判定モードに入るとき歩数に累積歩数を戻して表示した例である。
【００１９】
以下、図１〜図１０を参照して、本実施の形態に係る歩数計の動作を詳細に説明する。
先ず初期状態として、現時点では被測定者は歩行停止状態にあるものとする。また、制御部１０７は、増幅回路１０２及びフィルタ１０３を介して入力されたセンサ１０１からの歩行信号に基づいて現在までの累積歩数を算出済みであり、現在の累積歩数として４３２４歩がメモリＲＡＭ１０５に記憶されており、表示部１０６には現在の累積歩数として「４３２４歩」（図９、図１０参照）が点灯表示されている。この状態で、歩数測定操作を行いセンサ１０１によって歩行を検出する。
【００２０】
制御部１０７は、センサ１０１が被測定者の歩行を検出したと判断した場合、即ち、増幅回路１０２及びフィルタ１０３を介してセンサ１０１からの歩行信号を受信したと判断した場合（図２のステップＳ２０１）、直近にセンサ１０１から歩行信号を受信してからの経過時間が所定時間以内か否かを判断する（ステップＳ２０２）。前記所定時間は被測定者の通常の歩行周期よりも所定時間だけ長い時間に定められる。
【００２１】
制御部１０７は、前記経過時間が前記所定時間以内ではない（即ち、歩行信号を所定間隔で続けて受信していない）と判断すると、歩行停止と判定し（ステップＳ２０６）、図７に示す例のように、引き続きセンサ１０１から歩行信号を受信したか否かを判断する（図３のステップＳ３０１）。
制御部１０７は、センサ１０１から歩行信号を受信したと判断すると、第１歩行判定モードに入って歩行判定（第１歩行判定）を開始し（ステップＳ３０２）、図２の処理ステップＳ２０１へ戻る。制御部１０７は、第１歩行判定モードにおいて検出し計数した歩数は、歩数バッファメモリ１０８に記憶し、表示部１０６の累積歩数の表示更新は行わない。
尚、制御部１０７における処理ステップＳ３０２はモード切り換え手段を構成している。また、メモリ１０８、ＲＯＭ１０４、ＲＡＭ１０５への歩数の記憶や読み出しの制御は、制御部１０７が制御手段として機能することによって行われる。
【００２２】
制御部１０７は、処理ステップＳ２０２において、センサ１０１から直近に歩行信号を受信してからの経過時間が前記所定時間以内と判断した場合（即ち、歩行信号を所定間隔で続けて受信している場合）、第１歩行判定モード開始後所定時間（第１歩行判定時間）経過していないと判断すると、処理ステップＳ２０１に戻って前記処理を繰り返し、前記第１歩行判定時間経過したと判断すると、暫定的に歩行中であると判定して（ステップＳ２０３）、第２歩行判定モードに入って更なる歩行判定（第２歩行判定）を開始する（ステップＳ２０４）。
ここで、制御部１０７における処理ステップＳ２０２、Ｓ２０３、Ｓ２０６は歩行判定手段を構成している。また、制御部１０７における処理ステップＳ２０４はモード切り換え手段を構成している。
【００２３】
制御部１０７は、第２歩行判定モードにおいて検出し計数した歩数は、前記第１歩行判定モードと同じように歩数バッファメモリ１０８に記憶すると共に、歩数バッファメモリ１０８に記憶した歩数をＲＡＭ１０５に記憶している歩数に加算して現在までの累積歩数を算出して表示部１０６に表示する。このとき制御部１０７は、図９及び図１０に示すように、表示部１０６の歩数表示を点滅表示するように制御する（ステップＳ２０５）。これにより、現在の歩数が表示部１０６に点滅表示される。
【００２４】
次に、制御部１０７は、センサ１０１から歩行信号を受信したと判断すると（図４のステップＳ４０１）、センサ１０１から直近に歩行信号を受信してからの経過時間が前記所定時間以内か否かを判断する（ステップＳ４０２）。
制御部１０７は、センサ１０１から直近に歩行信号を受信してからの経過時間が前記所定時間以内ではないと判断すると、歩行停止と判定し（ステップＳ４０６）、処理ステップＳ３０１へ戻る（図８参照）。
【００２５】
このとき制御部１０７は、ＲＡＭ１０５に記憶している歩数から歩数バッファメモリ１０８に記憶している歩数を差し引いてＲＡＭ１０５に記憶すると共に、歩数バッファ１０８に記憶している歩数を零にリセットする。これにより、図１０に示すように、表示部１０６に表示される歩数は第１歩行判定モードに入る前の状態に戻る。
制御部１０７は、処理ステップＳ４０２において、センサ１０１からの直近の歩行信号を受信してから所定時間以内と判断した場合、第２歩行判定モード開始後所定時間（第２歩行判定時間）経過したか否かを判定し（ステップＳ４０３）、第２歩行判定時間を経過していないと判定すると、歩数「１」を歩数バッファ１０８及びＲＡＭ１０５に記憶している歩数に加算することによって歩数を更新し（ステップＳ４０７）、ＲＡＭ１０５に記憶した歩数の点滅表示を継続して（ステップＳ４０８）、処理ステップＳ４０１に戻る。
【００２６】
これにより、歩行信号が所定間隔で得られている場合には、第２歩行判定モードが継続して行われることになる。
制御部１０７は、処理ステップＳ４０３において、第２歩行判定時間経過したと判断した場合には歩行と判定して、通常の歩数測定を行う歩数測定モードに入り（ステップＳ４０４）、歩数バッファメモリ１０８の歩数データを零にリセットすると共に、歩数表示を点滅表示から点灯表示に切り換える（ステップＳ４０５）（図８、図９参照）。
ここで、制御部１０７における処理ステップＳ４０２、Ｓ４０３、Ｓ４０４、Ｓ４０６は歩行判定手段を構成している。また、制御部１０７における処理ステップＳ４０４はモード切り換え手段を構成している。
【００２７】
次に、制御部１０７は、センサ１０１から歩行信号を受信したと判断すると（図５のステップＳ５０１）、センサ１０１から直近に歩行信号を受信してからの経過時間が前記所定時間以内か否かを判断する（ステップＳ５０２）。
制御部１０７は、前記経過時間が前記所定時間以内ではないと判断すると、歩行停止と判定し（ステップＳ５０４）、処理ステップＳ３０１へ戻る。
ここで、制御部１０７における処理ステップＳ５０２、Ｓ５０４は歩行判定手段を構成している。
【００２８】
制御部１０７は、処理ステップＳ５０２において、前記経過時間が前記所定時間以内と判断した場合、歩数をＲＡＭ１０５に記憶している歩数に加算することによって現在までの累積歩数を算出すると共に、該歩数を表示部１０６に点灯表示することによって歩数を更新した後（ステップＳ５０３）、処理ステップＳ５０１に戻る。これを繰り返すことにより、図９に示すように、通常の歩数測定及び表示が行われる。
【００２９】
以上述べたように、本実施の形態によれば、歩行判定を行う歩数計において、センサ１０１からの歩行信号を受けたあとの歩行判定を、歩数の加算表示を伴わない第１歩行判定モードと歩数の加算表示を伴う第２歩行判定モードのように複数段階設け、全歩行判定モードにおいて歩行信号が所定時間継続して受信できた場合に歩行していると判定して歩数測定を行う。いずれかの歩行判定モードにおいて歩行中と判定されなかった場合には最初の段階の歩行判定モードに戻ると共に歩数表示を最初の歩行判定モード開始時の状態に戻し、又、歩行判定の段階に応じて、歩数の表示形態を通常の歩数測定時の表示形態とは異なる態様に変更するようにしている。
【００３０】
したがって、歩行開始後に行われる歩行判定モード中にあっても、暫定的に歩行と判断した場合には、早期に歩数表示を行うことができるようになり、被測定者の使用感を向上させることができる。
また、複数段階の歩行判定を行っているので、体動や振動等によって歩行を誤検出した場合の誤った歩数情報を頻繁に表示することはないため、精度良く歩行のみを歩数としてカウントして表示することが可能になる。
【００３１】
また、歩行判定中に歩数加算表示を行うことにより、歩行判定期間を任意の期間とることができるようになり、歩行信号のみを精度良くカウントすることができるようになる。
また、歩行判定中と通常の歩数測定中の歩数表示は、同一の表示要素を用いて、相互に異なる態様で表示するようにしているので、表示内容を容易に把握することができ又、小型化が可能になる。
また、歩行開始をより正確に判別することが可能になるので、歩行以外の体動が生じた場合や乗り物に乗った場合でも、歩行の誤測定を抑制することが可能になる。
【００３２】
尚、前記実施の形態では、２段の歩行判定モード及び歩数測定モードを段階的に切り換えるように構成し、モード切り換え手段は、歩行判定手段が前段の歩行判定モードにおいて歩行中と判定した場合に次段の歩行判定モードに切り換え、前記歩行判定手段が最終段の歩行判定モードにおいて歩行中と判定した場合に前記歩数測定モードに切り換えるように構成したが、歩行判定モードは２段に限られず、複数段の歩行判定モードであればいくつでもよい。
【００３３】
歩行判定モードが３段以上の構成の場合、少なくとも１つの歩行判定モード及び前記歩数測定モードにおいて、累積歩数を相互に異なる態様で表示するようにしてもよい。また、少なくとも前記最終段の歩行判定モード及び前記歩数測定モードにおいて、累積歩数を相互に異なる態様で表示するように構成してもよい。
また、歩数の表示態様として点滅表示と点灯表示の例を挙げたが、カラー表示可能な表示部１０６を用いて、異なる表示色によって表示する等、種々の表示態様を使用することが可能である。
【産業上の利用可能性】
【００３４】
被測定者の腕に装着して使用する腕時計型の歩数計、被測定者の腰に装着して使用する歩数計、あるいは、バッグ等に収納した状態で被測定者が保持して使用する歩数計等の各種の歩数計に適用可能である。
【図面の簡単な説明】
【００３５】
【図１】本発明の実施の形態に係る歩数計のブロック図である。
【図２】本発明の実施の形態に係る歩数計の処理を示すフローチャートである。
【図３】本発明の実施の形態に係る歩数計の処理を示すフローチャートである。
【図４】本発明の実施の形態に係る歩数計の処理を示すフローチャートである。
【図５】本発明の実施の形態に係る歩数計の処理を示すフローチャートである。
【図６】本発明の実施の形態に係る歩数計の動作説明図である。
【図７】本発明の実施の形態に係る歩数計の動作説明図である。
【図８】本発明の実施の形態に係る歩数計の動作説明図である。
【図９】本発明の実施の形態に係る歩数計の表示を示す図である。
【図１０】本発明の実施の形態に係る歩数計の表示を示す図である。
【符号の説明】
【００３６】
１０１・・・歩行検出手段を構成するセンサ
１０２・・・歩行検出手段を構成する増幅回路
１０３・・・歩行検出手段を構成するフィルタ
１０４・・・記憶手段を構成するＲＯＭ
１０５・・・記憶手段及び歩数メモリを構成するＲＡＭ
１０６・・・表示手段を構成する表示部
１０７・・・モード切り換え手段、歩行判定手段、歩数算出手段及び制御手段を構成する制御部
１０８・・・歩数バッファメモリ
【図１】
2008047030.tif 000003
【図２】
2008047030.tif 000004
【図３】
2008047030.tif 000005
【図４】
2008047030.tif 000006
【図５】
2008047030.tif 000007
【図６】
2008047030.tif 000008
【図７】
2008047030.tif 000009
【図８】
2008047030.tif 000010
【図９】
2008047030.tif 000011
【図１０】
2008047030.tif 000012